(57)【特許請求の範囲】
【請求項１】
静止画を重ねて表示するために複数の表示データを記憶する静止画表示装置において、
前記複数の表示データの内から重ねて表示するためのデータ層の数及び各層のビット数を重ねの優先順位に応じて調整する複数の重ね合わせ回路（４１，４２）と、
前記複数の重ね合わせ回路（４１，４２）の出力の一つを選択するための切り換え回路（４３）と、
該切り換え回路を動作させるための切り換え信号を記憶する重ね合わせ数切り換え信号記憶メモリ（４４）と、を備え、
前記複数の重ね合わせ回路（４１，４２）の各々が、重ねの優先順位の順に並べられた複数の表示データを入力し、値が０でない表示データで最も重ねの優先順位が高いものを選択して出力することを特徴とする静止画表示装置。
【発明の詳細な説明】
【０００１】
【産業上の利用分野】
本発明はナビゲーションシステム等に使用される静止画表示装置に関する。特に本発明では、記憶されている情報の割合を調整して重ねて表示することに関する。
【０００２】
【従来の技術】
従来このような技術としては自動車に搭載されるナビゲーションシステム等に使用される静止画表示装置がある。この静止画表示装置においては、ナビゲーションシステムのように地図を表示したり、オーディオのステータス表示を行うために様々な表示の種類がある。ナビゲーションでの地図表示の場合は、例えば、情報表示として地図、経路、警告メッセージ、色彩表示等の属性は４種類の層に重ね合わせ表示を行っている。この場合のように、４層の重ね合わせが必要な時には４層分のメモリを用意し重ね合わせ回路も４層専用の回路を作成していた。
【０００３】
【発明が解決しようとする課題】
ところで、前記ナビゲーションでは、例えば、経路等の表示を省略してその分だけ他の部分の彩色を増やしたい場合がある。またナビゲーション表示からオーディオ表示に変換させる必要もある。さらにオーディオ表示においては重ね合わせの層は少ないが一つの層に多色を表示することが必要であったり、アニメーション的な表示を行うために多層の重ね合わせを行うことが必要になることがある。しかし、この場合に各層での表示データ量と表示色数との割合が固定されているので、メモリ等の規模が大きくなり、さらに新たな専用の重ね合わせ回路を設ける必要があり、このためコスト上問題が生じる。
【０００４】
したがって本発明は上記問題点に鑑みて各層での表示データ量と表示色数との割合の多様化の要請に対応してメモリの規模を抑制できる静止画表示用重ね合わせ表示数可変回路を提供することを目的とする。
【０００５】
【課題を解決するための手段】
前記問題点を解決するために、本発明によれば、静止画を重ねて表示するために複数の表示データを記憶する静止画表示装置において、前記複数の表示データの内から重ねて表示するためのデータ層の数及び各層のビット数を重ねの優先順位に応じて調整する複数の重ね合わせ回路と、前記複数の重ね合わせ回路の出力の一つを選択するための切り換え回路と、該切り換え回路を動作させるための切り換え信号を記憶する重ね合わせ数切り換え信号記憶メモリと、を備え、前記複数の重ね合わせ回路の各々が、重ねの優先順位の順に並べられた複数の表示データを入力し、値が０でない表示データで最も重ねの優先順位が高いものを選択して出力することを特徴とする静止画表示装置が提供される。
【０００６】
【作用】
本発明の静止画表示装置によれば、記憶されている複数の情報表示データ及び前記複数の色表示データの内から重ねて表示するためのデータの割合が調整され、調整されたデータの一つが選択され重ね表示されることにより、従来のように情報表示データと色表示データとが固定されず、各層での表示データ量と表示色数との割合の多様化の要請に対応可能になりメモリの規模の増大を抑制できる。
【０００７】
【実施例】
以下本発明の実施例について図面を参照して説明する。
図１は本発明の実施例である重ね合わせ表示数可変回路の前提となる静止画表示装置を示す図である。本図に示す静止画表示用装置は、一例として、２ビットの地図の情報表示データを記憶する地図表示メモリ１と、２ビットの属性を表示するメモリ２と、上記メモリを切り換えるとともに、切り換えられたデータを任意に重ね表示する重ね合わせ表示数可変回路４と、重ね合わせ表示数可変回路４を制御する制御部３と、重ね合わせ表示数可変回路４の出力データを合成して表示する表示データ合成部５とを具備する。
【０００８】
図２は図１の重ね合わせ表示数可変回路４を示す図である。本図に示す重ね合わせ表示数可変回路４は、メモリ地図表示メモリ１と属性表示メモリ２の４ビットのデータＤ０、Ｄ１、Ｄ２、Ｄ３を入力して２ビット２層に切り換える第１の重ね合わせ回路４１と、２ビット＋１ビット＋１ビット計３層に切り換える第２の重ね合わせ回路４２と、第１の重ね合わせ回路４１及び第２の重ね合わせ回路４２を切り換える切り換え回路４３と、該切り換え回路４３に制御部３の制御により切り換え信号を出力する重ね合わせ数切り換え信号記憶メモリ４４とを具備する。
【０００９】
次に第１の重ね合わせ回路４１について説明する。入力するデータＤ０、Ｄ１、Ｄ２、Ｄ３の順に重ねの優先順位が大きくなるようにしてある。すなわち、負論理ＯＲ回路４１５に入力するＤ２、Ｄ３のいずれかが「１」であると、データＤ０、Ｄ１は、データＤ２、Ｄ３の入力中にはＮＯＴ４１６を介してＡＮＤ回路４１１及び４１２の他方の入力が「０」に固定されその出力が禁止される。この間データＤ２、Ｄ３は、ＡＮＤ回路４１３及び４１４の他方の入力が「１」に固定されてその出力が許可され、ＯＲ回路４１７及び４１８を介して出力ＤＯ０’、ＤＯ１’となる。
【００１０】
他方、データＤ２及びＤ３の入力が「０」となれば、ＯＲ回路４１５の出力が「０」となり、ＡＮＤ回路４１３及び４１４の出力が禁止され、ＮＯＴ回路４１６を介してＡＮＤ回路４１１及び４１２の他方の入力が「１」に固定されその出力が許可され、ＯＲ回路４１７及び４１８を介して出力ＤＯ０’、ＤＯ１’となる。このように、データＤ２にＤ０が、さらにＤ３にＤ１が重ねられるように出力される。なお、ＯＲ回路４１５の出力ＭＯは重ね合わせ表示のどの層を表示しているかを表す信号である。すなわち、出力ＭＯが「１」ならば、データＤ２及びＤ３の出力を表し、「０」ならデータＤ０及びＤ１を表す。
【００１１】
次に、第２の重ね合わせ回路４２について説明する。この場合も前述と同様に、入力するデータＤ０、Ｄ１、Ｄ２、Ｄ３の順に重ねの優先順位が大きくなるようにしてある。ＮＯＴ回路４２５に入力するデータＤ３が「１」ならばこれはＯＲ回路ＤＯ０”を介して出力される。さらに、データＤ３はＡＮＤ回路４２３の他方に入力しデータＤ２の出力を禁止し、さらにＮＯＲ回路４２４を介してＡＮＤ回路４２２及び４２１の他方に入力しデータＤ１及びＤ０の出力を禁止する。
【００１２】
次にデータＤ３が「０」でデータＤ２として「１」が入力すると、ＡＮＤ回路４２３はその他方にデータＤ３が入力して出力が許可され、データＤ２はＯＲ回路４２６を介してデータＤＯ０”に出力される。この間は、前記と同様にデータＤ１及びＤ０の出力が禁止される。
さらに、データＤ３及びＤ２がそれぞれ「０」である時、ＡＮＤ回路４２１及び４２２のそれぞれ他方には「１」が入力し、出力許可状態になり、データＤ０はＡＮＤ回路４２１、ＯＲ回路４２６を介してＤＯ０”となり、データＤ１はＡＮＤ回路４２２を介してＤＯ１”となる。このように、データＤ３にＤ２が重ねられ、さらにこれにデータＤ０が重ねられように出力される。なお、第２の重ね合わせ回路６２の出力Ｍ１”が「１」でＭ０”が「０」ならデータＤ３の出力を表示し、出力Ｍ１”が「０」でＭ０”が「１」ならデータＤ２の出力を表示し、出力Ｍ１”が「０」でＭ０”が「０」ならデータＤ１及びＤ０の出力を表示する。
【００１３】
次に、切り換え回路４３について説明する。切り換え回路４３では制御部３からの制御信号により重ね合わせ数切換え信号記憶メモリ４４は切換え信号を出力する。この切換え信号は、ＮＯＴ回路４３７を介して、ＡＮＤ回路４３１、４３２及び４３３の出力を許可するとき、逆に、ＡＮＤ回路４３４、４３５、４３６、４３７の出力を禁止する。さらにこの切換え信号は、ＮＯＴ回路４３７を介して、ＡＮＤ回路４３１、４３２及び６３３の出力を禁止するとき、逆に、ＡＮＤ回路４３４、４３５、４３６、４３７の出力を許可する。したがって、ＯＲ回路４１７、４１８の出力ＤＯ０’ＤＯ１’及びＯＲ回路の出力ＭＯがＯＲ回路６３８、６３９、６４９を介して表示データＤＯ０、ＤＯ１、層表示データＭＯ０として出力される場合には、ＡＮＤ回路４３４、４３５、４３６、４３７により表示データＤＯ０”、ＤＯ１”、層表示データＭ０”、Ｍ１”はＯＲ回路４３８、４３９、４４０等を介して出力されない。他方、ＯＲ回路４１７、４１８の出力ＤＯ０’ＤＯ１’及びＯＲ回路の出力ＭＯがＯＲ回路４３８、４３９、４４９を介して表示データＤＯ０、ＤＯ１、層表示データＭＯ０として出力されない場合には、ＡＮＤ回路４３４、４３５、４３６、４３７により表示データＤＯ０”、ＤＯ１”、層表示データＭ０”、Ｍ１”はＯＲ回路４３８、４３９、４４０等を介して出力される。
【００１４】
以上、２ビットの地図表示データへの２ビット（４色）＋２ビット（４色）の属性の重ね合わせから２ビットの地図表示データ属性表示２＋１ビット（２色）＋１ビット（２色）の属性の重ね合わせへの切換えのように、一定の表示範囲内で、複数の情報表示データ、属性データの割合を任意に相互に変化できるようになった。このため、従来のように各重ね合わせ回路に対して専用の表示用メモリを設けることが不要となる。
【００１５】
重ね合わせ表示数可変回路４は、説明の明確のために、回路で示したが、このような処理を演算処理するように、マイクロコンピュータにより容易に構成され得る。
また、簡単化のために、入力データを４ビットにし、重ね合わせ回路を二つの場合について説明したが、これに限定されない。
【００１６】
【発明の効果】
以上説明したように本発明によれば、記憶されている複数の情報表示データ及び前記複数の色表示データの内から重ねて表示するためのデータの割合が調整され、調整されたデータの一つが選択され重ね表示されるので、各層での表示データ量と表示色数との割合の多様化の要請に対応可能になりメモリの規模の増大を抑制できる。
【図面の簡単な説明】
【図１】図１は本発明の実施例に係る静止画表示装置を示す図である。
【図２】図２は図１の重ね合わせ表示数可変回路４を示す図である。である。
【符号の説明】
１…地図表示メモリ
２…属性表示メモリ
３…制御部
４…重ね合わせ表示数可変回路
５…表示データ合成部
４１、４２…重ね合わせ回路
４３…切り換え回路
４４…重ね合わせ数切り換え信号記憶メモリ
【図１】
0003555974.tif 000002
【図２】
0003555974.tif 000003